(57)【要約】【課題】三次元映像表示装置において、ディスプレイされる三次元映像を視聴環境に応じて変換させることによって、ユーザが最適な奥行き感覚を感じるようにする三次元映像表示装置およびその表示方法を提供する。【解決手段】左眼として入力される第１映像と右眼として入力される第２映像を提供する三次元映像表示装置であって、制御情報が入力される制御情報取得装置；および前記制御情報取得装置から伝達される前記制御情報をキー（Ｋｅｙ）にして前記第１映像と第２映像間に存在する両眼時差を制御する三次元放送受信装置；を含む。【選択図】図２
2012130008.tif 000002
【特許請求の範囲】
【請求項１】
左眼として入力される第１映像と右眼として入力される第２映像を提供する三次元映像表示装置であって、
制御情報が入力される制御情報取得装置；および
前記制御情報取得装置から伝達される前記制御情報をキー（Ｋｅｙ）にして前記第１映像と第２映像間に存在する両眼時差を制御する三次元放送受信装置；を含むことを特徴とする三次元映像表示装置。
【請求項２】
前記三次元放送受信装置は、三次元ビデオフォーマット形態の未加工データの入力を受け、前記第１映像と第２映像に分割する映像分割部と；
前記第１映像と第２映像において、全景オブジェクトを背景オブジェクトと分割させるオブジェクト分割部；および
前記制御情報をキーにして前記第１映像と第２映像の対応する全景オブジェクトおよび背景オブジェクト間の両眼時差を制御する映像合成部；を含むことを特徴とする、請求項１に記載の三次元映像表示装置。
【請求項３】
前記三次元放送受信装置は、
前記全景オブジェクトおよび背景オブジェクトに対する奥行き値情報テーブルが格納されたデータベース；および
前記制御情報を前記データベースに格納された奥行き値情報マッチングテーブルと対比して前記制御情報にマッチングされる奥行き値を検索する外部信号処理部；をさらに含むことを特徴とする、請求項２に記載の三次元映像表示装置。
【請求項４】
前記奥行き値は前記対応するオブジェクトの間で独立に算出され、前記映像合成部は前記独立に算出された差分値の入力を受け、前記各オブジェクト映像の奥行き値を個別的に制御することを特徴とする、請求項３に記載の三次元映像表示装置。
【請求項５】
前記映像合成部は、
前記各オブジェクト映像の奥行き値を制御する奥行き調整部と；
前記各オブジェクトの色を均一に補正する色調整部；および
前記色調整部から出力される映像が一定解像度以上になるようにピクセルおよびラインを補正する鮮鋭処理部；を含むことを特徴とする、請求項４に記載の三次元映像表示装置。
【請求項６】
前記制御情報取得装置は、赤外線カメラ、ウェブカメラまたはリモートコントローラのうちの少なくとも１つ以上であることを特徴とする、請求項１に記載の三次元映像表示装置。
【請求項７】
ポインティング手段をさらに含むことを特徴とする、請求項１に記載の三次元映像表示装置。
【請求項８】
三次元ビデオフォーマット形態の未加工データの入力を受け、左眼として入力される第１映像と右眼として入力される第２映像に分割する第１ステップと；
前記第１映像と第２映像間の色度または階調の差を所定範囲内に調節する第２ステップと；
前記第１映像と第２映像において、全景オブジェクトを背景オブジェクトと分割させる第３ステップと；
前記全景オブジェクトおよび背景オブジェクトに対して三次元映像の奥行き調節値を算出する第４ステップ；および
前記算出された奥行き調節値に応じて前記全景オブジェクトと背景オブジェクト映像の奥行き値を調節して三次元映像を再構成する第５ステップ；を含むことを特徴とする三次元映像表示方法。
【請求項９】
前記第４ステップの奥行き調節値は、ユーザとの距離に応じて予め設定された標準両眼時差から、実際ユーザとの距離から算出された個別両眼時差を差し引きして算出することを特徴とする、請求項８に記載の三次元映像表示方法。
【請求項１０】
前記再構成された三次元映像が所定の解像度を有するように前記再構成された三次元映像のピクセルおよびラインを補正するステップをさらに含むことを特徴とする、請求項８に記載の三次元映像表示方法。
【発明の詳細な説明】
【技術分野】
【０００１】
本発明は、三次元映像表示装置およびその表示方法に関する。より詳しくは、三次元映像表示装置において、ディスプレイされる三次元映像を視聴環境に応じて変換させる三次元映像表示装置およびその処理方法に関する。
【背景技術】
【０００２】
最近、三次元映像技術および放送技術が飛躍的に発展しており、劇場だけでなく、一般家庭内においてもＴＶを使って三次元の実感映像を視聴できる三次元実感放送に対する多様なサービスが計画されている。
一般家庭にまで三次元実感映像を供給する方法としては、膨大な容量の三次元映像コンテンツの格納が可能なブルーレイ・ディスクのような格納装置を通じた方法と、公衆波や衛星放送またはケーブルＴＶ事業者を通じて三次元コンテンツの伝送を受ける方法が挙げられる。
この時、視聴者が再生される三次元映像から感じる奥行き感覚が正確であれば正確であるほど、視聴者はより明確な現実感を得ることができるようになる。
【０００３】
しかし、三次元コンテンツを受信する視聴者の視聴環境は一律的ではないため、三次元映像の奥行き感覚が合わなくなる問題がある。すなわち、最初撮影された三次元映像は、多様な大きさと解像度を有する三次元映像表示装置で再生されるため、奥行き感覚が最初撮影された状態に維持されることができず、画面に歪みが発生する問題点がある。
【０００４】
また、視聴者が感じる奥行き感覚には個人差が存在し、三次元映像の奥行き感覚に影響を及ぼす視聴者と三次元映像表示装置間の距離も一律的ではないため、全ての視聴者に統一した奥行き感覚を提供するのは現実的に不可能な問題点がある。
【０００５】
一方、劇場用として製作された三次元コンテンツを一般家庭で視聴するためには、劇場用三次元コンテンツを一般家庭用三次元映像表示装置に適するように三次元映像を再加工することが必要であり、このため、莫大な費用および非効率性をもたらすという問題がある。
【発明の概要】
【発明が解決しようとする課題】
【０００６】
本発明は、前記問題点を解決するために導き出されたものであり、三次元映像表示装置において、ディスプレイされる三次元映像を視聴環境に応じて変換させることによって、ユーザが最適な奥行き感覚を感じるようにする三次元映像表示装置およびその表示方法を提供することを目的とする。
【課題を解決するための手段】
【０００７】
本発明は、前記目的を達成するために導き出されたものであり、左眼として入力される第１映像と右眼として入力される第２映像を提供する三次元映像表示装置であって、制御情報が入力される制御情報取得装置；および前記制御情報取得装置から伝達される前記制御情報をキー（Ｋｅｙ）にして前記第１映像と第２映像間に存在する両眼時差を制御する三次元放送受信装置；を含むことを特徴とする三次元映像表示装置を提供する。
【０００８】
好ましくは、前記三次元放送受信装置は、三次元ビデオフォーマット形態の未加工データの入力を受け、前記第１映像と第２映像に分割する映像分割部と；前記第１映像と第２映像において、全景オブジェクトを背景オブジェクトと分割させるオブジェクト分割部；および前記制御情報をキーにして前記第１映像と第２映像の対応する全景オブジェクトおよび背景オブジェクト間の両眼時差を制御する映像合成部；を含むことを特徴とする。
【０００９】
好ましくは、前記三次元放送受信装置は、前記全景オブジェクトおよび背景オブジェクトに対する奥行き値情報テーブルが格納されたデータベース；および前記制御情報を前記データベースに格納された奥行き値情報マッチングテーブルと対比して前記制御情報にマッチングされる奥行き値を検索する外部信号処理部；をさらに含むことを特徴とする。
この時、前記奥行き値は前記対応するオブジェクトの間で独立に算出され、前記映像合成部は前記独立に算出された差分値の入力を受け、前記各オブジェクト映像の奥行き値を個別的に制御することが好ましい。
【００１０】
前記映像合成部は、前記各オブジェクト映像の奥行き値を制御する奥行き調整部と、前記各オブジェクトの色を均一に補正する色調整部、および前記色調整部から出力される映像が一定解像度以上になるようにピクセルおよびラインを補正する鮮鋭処理部を含むことが好ましい。
前記制御情報取得装置は、赤外線カメラ、ウェブカメラまたはリモートコントローラのうちの少なくとも１つ以上であってもよい。また、本発明による三次元映像表示装置はポインティング手段をさらに含むこともできる。
【００１１】
また、本発明は、三次元ビデオフォーマット形態の未加工データの入力を受け、左眼として入力される第１映像と右眼として入力される第２映像に分割する第１ステップと；前記第１映像と第２映像間の色度または階調の差を所定範囲内に調節する第２ステップと；前記第１映像と第２映像において、全景オブジェクトを背景オブジェクトと分割させる第３ステップと；前記全景オブジェクトおよび背景オブジェクトに対して三次元映像の奥行き調節値を算出する第４ステップ；および前記算出された奥行き調節値に応じて前記全景オブジェクトと背景オブジェクト映像の奥行き値を調節して三次元映像を再構成する第５ステップ；を含むことを特徴とする三次元映像表示方法を提供する。
【００１２】
前記第４ステップの奥行き調節値は、ユーザとの距離に応じて予め設定された標準両眼時差から、実際ユーザとの距離から算出された個別両眼時差を差し引きして算出することが好ましい。
本発明による三次元映像表示方法は、前記再構成された三次元映像が所定の解像度を有するように前記再構成された三次元映像のピクセルおよびラインを補正するステップをさらに含むことが好ましい。
【発明の効果】
【００１３】
本発明においては、制御情報取得装置によって得られた制御情報を利用して三次元映像を再構成するため、ユーザが最適な奥行き感覚を感じるようにする三次元映像を提供することができる。
【図面の簡単な説明】
【００１４】
【図１】本発明の好ましい実施形態による三次元映像表示装置を含む三次元映像放送システムの構成図である。
【図２】本発明の好ましい実施形態による三次元放送受信装置の構成図である。
【図３】本発明の好ましい実施形態による映像合成部の構成図である。
【図４】本発明の好ましい実施形態による三次元映像処理方法を示すフローチャートである。
【図５】本発明の好ましい実施形態による三次元映像処理方法を示すフローチャートである。
【図６】本発明の好ましい実施形態による両眼映像のオブジェクト分割を示す概念図である。
【発明を実施するための形態】
【００１５】
以下の実施形態は、本発明の構成要素と特徴を所定形態で結合したものである。各構成要素または特徴は別途の明示的言及がない限り選択的なものとして考慮する。各構成要素または特徴は他の構成要素や特徴と結合されない形態で実施されることができる。また、一部の構成要素および／または特徴を結合して本発明の実施形態を構成することもできる。本発明の実施形態にて説明される動作順は変更され得る。ある実施形態の一部構成や特徴は他の実施形態に含まれ得るし、または、他の実施形態の対応する構成または特徴と交替され得る。
【００１６】
本発明の実施形態は多様な手段によって実現されることができる。例えば、本発明の実施形態は、ハードウェア、ファームウェア（ｆｉｒｍｗａｒｅ）、ソフトウェアまたはそれらの結合などによって実現されることができる。
ハードウェアによる実現の場合、本発明の実施形態による方法は、１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって実現されることができる。
【００１７】
ファームウェアやソフトウェアによる実現の場合、本発明の実施形態による方法は、以上で説明した機能または動作を行うモジュール、手続きまたは関数などの形態で実現されることができる。ソフトウェアコードはメモリユニットに格納されプロセッサによって駆動されることができる。前記メモリユニットは前記プロセッサの内部または外部に位置して、既に公知された多様な手段によって前記プロセッサとデータをやり取りすることができる。
【００１８】
明細書の全体において、ある部分が他の部分と「連結」されているとする時、これは直接的に連結されている場合だけでなく、その間に他の素子を介在して電気的に連結されている場合も含む。また、ある部分がある構成要素を含むとする時、これは特に反対となる記載がない限り、他の構成要素を除くのではなく、他の構成要素をさらに含むことができることを意味する。
【００１９】
また、本明細書で記載したモジュール（ｍｏｄｕｌｅ）という用語は特定の機能や動作を処理する１つの単位を意味し、これは、ハードウェアやソフトウェアまたはハードウェアおよびソフトウェアの結合で実現することができる。
以下の説明で用いられる特定用語は本発明の理解を助けるために提供されたものであり、このような特定用語の使用は本発明の技術的思想を逸脱しない範囲内で他の形態に変更することができる。
【００２０】
図１は、本発明の好ましい実施形態による三次元映像表示装置を含む三次元映像放送システムの構成図である。図１に示すように、本発明による三次元映像表示装置を含む放送システムは、三次元放送供給装置１２、放送送信部１３、放送／通信網１４、放送受信部１５および三次元ディスプレイ装置１８を含む。制御情報取得装置１７は、本発明の好ましい実施形態によって三次元映像の奥行き感覚を調節するのに必要な周辺情報を取得するためのものであって、図２の三次元放送受信装置１６を説明する過程でより詳細に説明することにする。
【００２１】
獲得された三次元コンテンツ１１は、三次元放送供給装置１２によって映像伝送に好適な形態に前処理および符号化される。符号化された三次元コンテンツは、放送送信部１３を経つつパケット多重化処理された後、有線または無線形態の放送／通信網１４を介して送信される。放送／通信網１４を経て放送受信部１５に受信された三次元コンテンツは再び逆多重化過程を経る。逆多重化された三次元コンテンツは三次元放送受信装置１６に伝達される。
【００２２】
図２は、本発明の好ましい実施形態による三次元放送受信装置１６の構成図である。三次元放送受信装置１６は、受信した三次元コンテンツ１１映像を再構成して三次元映像の奥行き値を最適化するためのものである。
三次元放送受信装置１６においては、制御情報取得装置１７から伝達された制御情報をキー（Ｋｅｙ）にして左眼として入力される第１映像と右眼として入力される第２映像間に存在する時差を制御して三次元映像の奥行き値を最適化する。
【００２３】
図２に示すように、三次元放送受信装置１６は、復号化部２１、映像分割部２２、オブジェクト分割部２３、映像合成部２４、映像レンダリング部２５、外部信号処理部２６およびデータベース２７を含む。
一方、本発明による三次元放送受信装置１６は、ポインティング手段（図示せず）をさらに含むこともできる。この時、ポインティング手段とは、有線または無線で連結されるマウスのようにディスプレイされた三次元映像に対して特定位置を指定できる手段を意味する。ポインティング手段を用いた特定位置指定方法に対しては、以下にて図６の好ましい実施形態を説明する過程でより詳細に説明することにする。
【００２４】
復号化部２１は、放送受信部１５で逆多重化されたデータから未加工データ（Ｒａｗ  Ｄａｔａ）を抽出するためのものである。すなわち、放送受信部１５で逆多重化されたデータから多重化または逆多重化のために未加工データの間に挿入された信号処理用データを除去する。したがって、復号化部２１で出力された未加工データは、ｓｉｄｅ−ｂｙ−ｓｉｄｅまたはｔｏｐ−ａｎｄ−ｂｏｔｔｏｍのように左眼用映像データと右眼用映像データが交番に配置された三次元ビデオフォーマットであるか、両眼式映像の各々を二次元映像の大きさに合うように別途に伝送するデュアルモード基盤の三次元ビデオフォーマットであってもよい。
【００２５】
映像分割部２２は、復号化部２１から出力される両眼式未加工データを三次元式データに分割するものである。したがって、映像分割部２２から出力される三次元データは、左／右パターンまたは上／下パターンなどの適切な三次元フォーマットに合うように分割される。例えば、映像分割部は、両眼式未加工データを左眼として入力される第１映像と右眼として入力される第２映像に分割させることができる。
【００２６】
オブジェクト分割部２３は、映像分割部２２から出力される映像内においてオブジェクト領域を別途に分割する。すなわち、図６の映像分割部２２から出力される第１映像（左眼映像）４２と第２映像（右眼映像）４３に対し、各々、ａ〜ｆ、ａ’〜ｆ’のようなオブジェクトを分割して指定するようになる。図６の場合、ｂとｄは背景オブジェクトであり、ａ、ｃ、ｅおよびｆは全景オブジェクトである。この時、対応するオブジェクト、例えば、全景オブジェクトであるａとａ’との間に両眼時差が存在する場合、ユーザはその両眼時差によって奥行き感覚を感じるので、両眼時差を調節すれば、ユーザは最適な奥行き感覚を感じるようになる。
【００２７】
両眼時差の調節程度は、制御情報取得装置１７によって得られる制御情報に応じて異なる。すなわち、制御情報とは両眼時差の程度を調節するのに用いられる外部入力情報であって、本発明による三次元映像表示装置においては、制御情報を使って、ユーザに応じて最適化された両眼時差の程度、すなわち、三次元映像の奥行き感覚を調節する。
【００２８】
制御情報としては、ウェブカメラまたは赤外線カメラなどによって得られるユーザの身体的な特徴のようなユーザ認識情報、ユーザと三次元映像間の距離情報、ディスプレイ画面の大きさのようなディスプレイ装置情報などが挙げられる。この時、ユーザ認識情報、距離情報またはディスプレイ装置情報などは、ユーザがリモートコントローラなどを使って直接所望の値に設定できることは勿論である。以下では、説明の便宜のために、ユーザがリモートコントローラで直接入力する情報はユーザ入力情報と呼ぶことにする。
【００２９】
一方、ユーザがリモートコントローラを自身に合うように制御情報をプリセット（ｐｒｅｓｅｔｔｉｎｇ）することもできる。すなわち、制御情報取得装置１７は、取得されたユーザ認識情報を活用して、プリセットされた制御情報が存在するか否かを確認し、プリセットされた制御情報が存在する場合には該当制御情報を活用する。
この時、ウェブカメラまたは赤外線カメラのような距離測定装置は、セットトップボックス（ＳＴＢ）形態で構成されるか、三次元ＴＶ内に構成されることは勿論である。
【００３０】
ウェブカメラ、赤外線カメラまたはリモートコントローラのような制御情報取得装置１７によって入力される制御情報は外部信号処理部２６に伝達され、外部信号処理部２６は入力された制御情報をデータベース２７に予め格納されている奥行き値情報マッチングテーブルと対比して最適な奥行き感覚を感じることができる三次元映像の奥行き、すなわち、前述した全景オブジェクトおよび背景オブジェクトの奥行き値を検索し、検索された奥行き値を使って奥行き調節値を算出する。すなわち、奥行き調節値とは、検索された奥行き値を利用して算出する補償値を意味する。
【００３１】
表１はユーザの好みに応じた奥行き値情報マッチングテーブルの例示であり、表２はディスプレイ装置の画面大きさに応じた奥行き値情報マッチングテーブルの例示である。表１または表２に示すように、視聴距離に応じて最適な奥行き感覚を与える奥行き値が異なることが分かり、一方、同一の視聴距離に位置したユーザであっても好みによって最適な奥行き感覚を与える奥行き値が異なることが分かる。
【００３２】
【表１】
2012130008.tif 000003
【００３３】
【表２】
2012130008.tif 000004
【００３４】
距離測定装置によって三次元映像とユーザとの間の距離、すなわち、視聴距離が測定されれば、測定された視聴距離に対応する標準奥行き値が分かる。三次元映像の再構成過程は、一旦、各個体に対してその奥行き値を標準奥行き値に設定した後、個人的な好みまたはディスプレイ画面の大きさを考慮して、標準奥行き値に対して調節を行う過程に進行することが好ましい。この時、ユーザは、リモートコントローラなどによって自身が所望する程度に調節ができることは勿論である。
【００３５】
外部信号処理部２６が情報マッチングテーブルから検索した奥行き調整値は映像合成部２４に伝達され、映像合成部２４においては、伝達された奥行き調整値を利用して各オブジェクトの奥行き値を再調節する。
【００３６】
図３は、本発明の好ましい実施形態による映像合成部の構成図である。図３に示すように、映像合成部２４は、奥行き調整部３１、色調整部３２、鮮鋭処理部３３および映像再構成部３４を含む。すなわち、映像再構成部３４は、各オブジェクトに対し、奥行き調整、色調整および鮮鋭処理を進行した後、再構成された三次元映像を出力する。
【００３７】
奥行き調整部３１は、外部信号処理部２６から入力された奥行き調整値を利用して各オブジェクトの奥行き値を決定する。この時、各オブジェクトの奥行き値は互いに独立的であり、相異なる値に調整できることは勿論であり、さらには、オブジェクト別に奥行き値を線形的にまたは非線形的に調整できることも勿論である。
【００３８】
色調整部３２は、オブジェクトの色を均一に補正するためのものであって、対応するオブジェクトの色を均一に維持させるためのものである。
鮮鋭処理部３３は、映像再構成部３４で最終的に再構成された映像の各ピクセルおよびラインの乱れを元映像のように正すためのものである。
映像再構成部３４で再構成された三次元映像は、映像レンダリング部２５を経て三次元ディスプレイ装置に表示される。
【００３９】
図４と図５は、本発明の好ましい実施形態による三次元映像処理方法を示すフローチャートである。
放送／通信網１４を経て受信された三次元コンテンツは（Ｓ１、Ｓ２）放送受信部１５において逆多重化を経るようになり、逆多重化された三次元コンテンツは三次元放送受信装置１６において復号化され（Ｓ３）、その結果、三次元ビデオフォーマット形態の未加工データが生成される。その次、未加工データに対して奥行き値の調節が必要であるか否かを判断する（Ｓ４）。すなわち、制御情報取得装置１７によって得られた制御情報をキー（Ｋｅｙ）にして把握した三次元映像の奥行き値が予め設定されたレベルに適した場合には、奥行き値の調節は行われない。奥行き値の調節が不要な場合には、映像合成部２４の鮮鋭処理部３３において鮮鋭度が調整された後、三次元ディスプレイ装置によって再生される（Ｓ１２〜Ｓ１６）。
しかし、奥行き値の調節が必要な場合には、次の過程によって奥行き値を調節する。
【００４０】
先ず、入力された三次元ビデオフォーマット形態の未加工データを左眼として入力される第１映像と右眼として入力される第２映像に分割し（Ｓ５）、分割された第１映像と第２映像間の色度または階調の差を予め設定された所定範囲内に調節する（Ｓ６）。色度または階調の調節が完了すれば、外部信号処理部２６で算出された奥行き調節値に応じて奥行き値の調節が行われた後（Ｓ９）、色および線合わせ（鮮鋭度）を経て三次元映像を再構成し、三次元ディスプレイ装置を通じて再生される過程は、三次元映像表示装置における再生過程と同一であるので詳細な説明は省略する。
【００４１】
この時、奥行き調節値は、ユーザとの距離に応じて予め設定された標準両眼時差から、実際ユーザとの距離から算出された個別両眼時差を差し引きして算出するのが一般的である。
【００４２】
図６は、本発明の好ましい実施形態による両眼映像のオブジェクト分割を示す概念図である。前述したように、本発明においては、分割されたオブジェクト（ａ〜ｆ、ａ’〜ｆ’）に対して個別的に奥行き値を調節する。
【００４３】
一方、本発明による三次元放送受信装置１６はマウスのようなポインティング手段（図示せず）を含むこともでき、ポインティング手段を使って特定オブジェクトをポインティングする場合には、マウスポインタ４１のような認識子がポインティングされるオブジェクトと同一の奥行き値を有することが好ましい。この場合、ディスプレイ画面に図示されるマウスポインタ４１も１つの別途オブジェクトとして認識されポインティングされるオブジェクトと同一の奥行き値を有するように再生されるが、その再生方法は、三次元映像の再生方法と同一であるので、マウスポインタ４１の再生方法に対し詳細な説明は省略することにする。
【００４４】
本発明は、本発明の精神および必須的特徴を逸脱しない範囲内で他の特定の形態に具体化されることができる。したがって、前記詳細な説明は全ての面で制限的に解釈してはいけず、例示的なものとして考慮しなければならない。本発明の範囲は添付された請求項の合理的解釈によって決定されるべきであり、本発明の等価的範囲内における全ての変更は本発明の範囲に含まれる。また、特許請求の範囲において、明示的な引用関係のない請求項を結合して実施形態を構成するか、出願後の補正によって新しい請求項として含ませることができる。
【符号の説明】
【００４５】
１１・・・三次元コンテンツ
１２・・・三次元放送供給装置
１３・・・放送送信部
１４・・・放送／通信網
１５・・・放送受信部
１６・・・三次元放送受信装置
１７・・・制御情報取得装置
１８・・・三次元ディスプレイ装置
１９・・・ユーザ
２１・・・復号化部
２２・・・映像分割部
２３・・・オブジェクト分割部
２４・・・映像合成部
２５・・・映像レンダリング部
２６・・・外部信号処理部
２７・・・データベース
３１・・・奥行き調整部
３２・・・色調整部
３３・・・鮮鋭処理部
３４・・・映像再構成部
３５・・・映像レンダリング部
４１・・・マウスポインタ
４２・・・第１映像（左眼映像）
４３・・・第２映像（右眼映像）
【図１】
2012130008.tif 000005
【図２】
2012130008.tif 000006
【図３】
2012130008.tif 000007
【図４】
2012130008.tif 000008
【図５】
2012130008.tif 000009
【図６】
2012130008.tif 000010